(57)【要約】【課題】配信される文書情報の中から、ユーザが関心を持っている文書情報を探す負担を低減させる。【解決手段】情報処理装置１０は、ネットワークを介して配信される第１の文書情報および第１の文書情報の後に配信される第２の文書情報を取得してディスプレイに表示させる。情報処理装置１０は、ネットワークを介して情報の通信を行うネットワーク通信部１１と、ネットワーク通信部１１によって取得された第１および第２の文書情報をディスプレイに表示させる制御部１６とを備える。制御部１６は、第１の文書情報をディスプレイに表示させているとき、ユーザから第１の文書情報に含まれる一部の情報の選択を受け付け、その後配信される第２の文書情報をディスプレイに表示させるとき、第２の文書情報のうち、選択された前記一部の情報に関連する情報を、前記第２の文書情報中の他の情報とは異なる表示形態で表示させるように構成されている。【選択図】図１
2013239146.tif 000002
【特許請求の範囲】
【請求項１】
ネットワークを介して配信される第１の文書情報および前記第１の文書情報の後に配信される第２の文書情報を取得してディスプレイに表示させる情報処理装置であって、
前記ネットワークを介して情報の通信を行うネットワーク通信部と、
前記ネットワーク通信部によって取得された前記第１および第２の文書情報を前記ディスプレイに表示させる制御部であって、前記第１の文書情報を前記ディスプレイに表示させているとき、ユーザから前記第１の文書情報に含まれる一部の情報の選択を受け付け、その後配信される前記第２の文書情報を前記ディスプレイに表示させるとき、前記第２の文書情報のうち、選択された前記一部の情報に関連する情報を、前記第２の文書情報中の他の情報とは異なる表示形態で表示させる制御部と、
を備える情報処理装置。
【請求項２】
前記制御部は、前記ユーザによって選択された前記一部の情報を示す登録処理情報を記録媒体に記録し、前記登録処理情報に基づいて、前記第２の文書情報の中から前記一部の情報に関連する情報を検索し、検索した前記情報を、他の情報とは異なる表示形態に変更して前記ディスプレイに表示させる、請求項１に記載の情報処理装置。
【請求項３】
前記制御部は、前記ユーザによって選択された前記一部の情報に関連付けられたキーワードに一致または類似する情報を、前記第２の文書情報の中から検索することによって前記一部の情報に関連する情報を特定する、請求項２に記載の情報処理装置。
【請求項４】
前記第１および第２の文書情報は、新聞記事の情報を含む、請求項１に記載の情報処理装置。
【請求項５】
前記他の情報とは異なる表示形態は、文字の大きさ、色、太さ、もしくは書体が変更された表示形態、文字を点滅させた表示形態、背景色が変更された表示形態、枠で囲まれた表示形態、およびレイアウトが変更された表示形態のいずれか、またはこれらの組み合わせである、請求項１に記載の情報処理装置。
【請求項６】
前記制御部は、前記ユーザによって選択された前記一部の情報を示す登録処理情報を、前記第２の文書情報の配信元の装置に送信し、前記一部の情報に関連する情報が他の情報とは異なる表示形態で表示されるように編集された前記第２の文書情報を前記装置から受け取って前記ディスプレイに表示させる、請求項１に記載の情報処理装置。
【請求項７】
前記制御部は、前記第２の文書情報を前記ディスプレイに表示させるとき、ユーザによって選択された前記一部の情報に関連付けられたキーワードを併せて表示させる、請求項１に記載の情報処理装置。
【請求項８】
ネットワークを介して配信される速報ニュース情報および前記速報ニュース情報の後に配信される朝刊または夕刊の新聞記事情報を取得してディスプレイに表示させる情報処理装置であって、
前記ネットワークを介して情報の通信を行うネットワーク通信部と、
前記ネットワーク通信部によって取得された前記速報ニュース情報および前記新聞記事情報を前記ディスプレイに表示させる制御部であって、前記速報ニュース情報を前記ディスプレイに表示させているとき、ユーザから前記速報ニュース情報に含まれる一部の情報の選択を受け付け、その後配信される前記新聞記事情報を前記ディスプレイに表示させるとき、前記新聞記事情報のうち、選択された前記一部の情報に関連する情報を、前記新聞記事情報中の他の情報とは異なる表示形態で表示させる制御部と、
を備える情報処理装置。
【請求項９】
前記新聞記事情報は、朝刊又は夕刊の実際の新聞紙面のイメージの情報を含む、請求項１に記載の情報処理装置。
【請求項１０】
前記新聞記事情報は、朝刊又は夕刊の見出し記事の一覧を示す情報を含む、請求項４に記載の情報処理装置。
【請求項１１】
ネットワークを介して配信される第１の文書情報および前記第１の文書情報の後に配信される第２の文書情報を取得してディスプレイに表示させる情報処理装置において用いられるコンピュータプログラムであって、前記情報処理装置に搭載されたコンピュータに、
前記第１の文書情報を取得するステップと、
前記第１の文書情報を前記ディスプレイに表示させるステップと、
前記第１の文書情報を前記ディスプレイに表示させているとき、ユーザから前記第１の文書情報に含まれる一部の情報の選択を受け付けるステップと、
前記第２の文書情報をネットワークを介して受信するステップと、
前記第２の文書情報を前記ディスプレイに表示させるステップと、
を実行させ、
前記第２の文書情報を前記ディスプレイに表示させるステップは、前記第２の文書情報のうち、選択された前記一部の情報に関連する情報を、前記第２の文書情報中の他の情報とは異なる表示形態で表示させるステップを含む、
コンピュータプログラム。
【請求項１２】
ネットワークを介して情報の通信を行うネットワーク通信部と、
前記ネットワーク通信部を介して第１の文書情報および第２の文書情報を複数の情報処理装置に配信する制御部と、
を備え、
前記制御部は、前記第１の文書情報を前記複数の情報処理装置に配信した後、前記複数の情報処理装置の１つのユーザによって前記第１の文書情報の中から選択された一部の情報を示す登録処理情報を前記情報処理装置から取得し、その後配信する前記第２の文書情報のうち、選択された前記一部の情報に関連する情報が前記第２の文書情報中の他の情報とは異なる表示形態で表示されるように編集した前記第２の文書情報を前記情報処理装置に配信するように構成されている、
配信装置。
【請求項１３】
前記制御部は、編集後の前記第２の文書情報とともに、前記登録処理情報に基づいて生成された前記ユーザへの提案情報を前記情報処理装置に配信する、請求項１２に記載の配信装置。
【発明の詳細な説明】
【技術分野】
【０００１】
本開示は、ユーザの関心に応じてコンテンツの表示形態を変更可能な情報処理装置に関する。
【背景技術】
【０００２】
通信回線を介して受信した実際の紙面と同じイメージの新聞画像データをパーソナルコンピュータ（ＰＣ）等の画面上に表示する技術が、例えば特許文献１に記載されている。
【０００３】
また、紙で提供される新聞を電子版としてスマートフォンなどの端末（「情報処理装置」とも呼ぶ。）で見るための技術も存在する。新聞アプリを情報処理装置にインストールすることにより、情報処理装置のディスプレイに新聞の紙面イメージを表示したり、新しく到着した記事（「速報ニュース」とも呼ぶ。）を閲覧することができる。このような情報処理装置を用いることにより、ユーザは、出勤・通学時などの外出先で手軽に新聞や速報ニュースを読むことができる。
【先行技術文献】
【特許文献】
【０００４】
【特許文献１】特開２００７−３２３３６９号公報
【発明の概要】
【発明が解決しようとする課題】
【０００５】
ユーザが新聞、書籍、雑誌、論文誌などの電子文書内の情報に関心をもち、その関心をもった情報の詳細や関連した記事などをさらに読みたい場合がある。そのような場合、従来の技術では、その後に配信される電子文書の中から該当する記事などの情報を探す必要があり、ユーザにとって不便であるという課題があった。場合によっては、関心をもった情報に関する詳細記事や関連情報を見つけられずに読むことができない事態もあり得る。
【０００６】
本開示は、詳細記事や関連情報を探す負担を低減するために文書コンテンツの表示形態を通常の表示形態から変更する情報処理装置、システム、およびコンピュータプログラムを提供する。
【課題を解決するための手段】
【０００７】
上記課題を解決するため、本開示の一態様に係る情報処理装置は、ネットワークを介して配信される第１の文書情報および第１の文書情報の後に配信される第２の文書情報を取得してディスプレイに表示させる。情報処理装置は、ネットワークを介して情報の通信を行うネットワーク通信部と、ネットワーク通信部によって取得された第１および第２の文書情報をディスプレイに表示させる制御部とを備える。制御部は、第１の文書情報をディスプレイに表示させているとき、ユーザから第１の文書情報に含まれる一部の情報の選択を受け付け、その後配信される第２の文書情報をディスプレイに表示させるとき、第２の文書情報のうち、選択された前記一部の情報に関連する情報を、前記第２の文書情報中の他の情報とは異なる表示形態で表示させるように構成されている。
【発明の効果】
【０００８】
本開示の技術によれば、ユーザが関心をもった情報に関連する文書コンテンツを、他の文書コンテンツとは異なる表示形態で表示させることができる。これにより、ユーザが関心をもった情報に関連する情報を探すための負担を低減することができる。
【図面の簡単な説明】
【０００９】
【図１】例示的な実施形態１における電子新聞表示システムの全体構成図である。
【図２Ａ】電子新聞表示装置の表示画面に表示される速報ニュース一覧の表示例を示す図である。
【図２Ｂ】電子新聞表示装置の表示画面に表示される個別記事の表示例を示す図である。
【図２Ｃ】電子新聞表示装置の表示画面に表示される電子新聞の見出し記事一覧の表示例を示す図である。
【図２Ｄ】電子新聞表示装置の表示画面に表示される電子新聞の新聞イメージの表示例を示す図である。
【図３】電子新聞表示システムにおける電子新聞表示処理の一例を示すフローチャートである。
【図４】ユーザによって特定のニュースが選択された後の速報ニュース一覧の表示例を示す図である。
【図５】ＨＴＭＬ文書の文書構造の一例を示す図である。
【図６】制御部１６によって作成される対応情報の一例を示す図である。
【図７】電子新聞の見出し記事一覧の表示形態が変更された後の表示例を示す図である。
【図８Ａ】電子新聞の新聞イメージの表示形態が変更された後の表示例を示す図である。
【図８Ｂ】電子新聞の新聞イメージの表示形態が変更された後の表示の他の例を示す図である。
【図８Ｃ】電子新聞の新聞イメージの表示形態が変更された後の表示のさらに他の例を示す図である。
【図９】電子新聞表示装置における電子新聞表示処理の他の例を示すフローチャートである。
【図１０】ユーザが関心をもっている事項についての情報を提供する情報提供システムの全体構成図である。
【図１１】情報提供システムの動作の一例を示すフローチャートである。
【図１２】新聞コンテンツとともに提案情報が情報処理装置に表示されている例を示す図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者らは、当業者が本開示を十分に理解するために添付図面および以下の説明を提供するのであって、これらによって特許請求の範囲に記載の主題を限定することを意図するものではない。
【００１１】
（実施形態１）
まず、第１の実施形態を説明する。本実施形態は、電子新聞のコンテンツ（以下、「新聞コンテンツ」と呼ぶことがある。）をディスプレイに表示することが可能な情報処理装置を含む電子新聞表示システムに関している。
【００１２】
［１−１．構成］
図１は、本実施形態における電子新聞表示システムの全体構成を示す図である。本システムは、ネットワーク３０を介して相互に通信できるように接続されるＷｅｂサーバ２０と情報処理装置（メディアタブレット）１０とを備えている。本実施形態では、電子文書として電子新聞のコンテンツが、Ｗｅｂサーバ２０から情報処理装置１０に配信される。図１では、１つの情報処理装置１０のみが示されているが、典型的には、複数の情報処理装置に同一内容のコンテンツがＷｅｂサーバ２０から配信される。
【００１３】
Ｗｅｂサーバ２０は、例えば新聞社などの情報配信会社が管理するコンピュータである。Ｗｅｂサーバ２０は、配信するコンテンツを記録する記録部２１と、ネットワーク３０を介した通信を行うネットワーク通信部２３と、Ｗｅｂサーバ２０全体の動作を制御する制御部２２とを備えている。これらの各部は、相互に電気信号のやりとりができるようにバス２９を介して接続されている。Ｗｅｂサーバ２０は、図１には示されていない他の構成要素を含み得る。
【００１４】
記録部２１は、例えばハードディスクドライブ（ＨＤＤ）などの記録装置である。記録部２１には、配信予定の新聞コンテンツや速報ニュースのデータが格納される。ネットワーク通信部２３は、公知のネットワークアダプタであり、情報処理装置１０との間で情報の送受信を行う。制御部２２は、例えばＣＰＵ（Ｃｅｎｔｒａｌ  Ｐｒｏｃｅｓｓｉｎｇ  Ｕｎｉｔ）やグラフィックコントローラなどの集積回路を含み、不図示のメモリに格納されたコンピュータプログラムに従って、後述するコンテンツの配信処理を行う。なお、制御部２２は、専用の半導体集積回路などのハードウェアのみによって構成されていてもよい。
【００１５】
Ｗｅｂサーバ２０の制御部２２は、情報処理装置１０に、速報ニュースの情報を不定期に配信するとともに、朝刊又は夕刊などの新聞コンテンツを定期的に配信する。これらの新聞コンテンツは、ＨＴＭＬ文書および画像のデータを含み得る。これらのデータは、新聞社などによって日々作成され、記録部２１に蓄積される。制御部２２は、Ｗｅｂブラウザを備えた情報処理装置１０からの要求に応じて、速報ニュースや新聞コンテンツを配信する。
【００１６】
本実施形態の情報処理装置（「電子新聞表示装置」とも呼ぶ。）１０は、速報ニュース（「新着記事」とも呼ぶ。）と、その速報ニュースの到着後に配信される新聞コンテンツとを表示することが可能なＰＣ（パーソナルコンピュータ）、スマートフォンなどのユーザ端末であり、ここではメディアタブレットとする。表示される新聞コンテンツには、後述するように、見出し記事一覧や新聞イメージの情報などが含まれる。
【００１７】
メディアタブレット１０は、ネットワークを介して通信を行うネットワーク通信部１１と、ユーザによるタップ操作や入力操作などの各種操作を受け付ける入力部（ユーザインターフェース）１２と、表示画面上にＬＣＤ（液晶ディスプレイ）等を用いて速報ニュースの文字や新聞イメージの画像などを表示する表示部１３と、表示すべき速報ニュースの文字データや新聞イメージの画像データなどを記録する記録部１４と、表示部１３への表示を制御する表示制御部１５と、これらの各部の動作を制御する制御部１６とを備えている。これらの各部は、バス１９を介して相互に電気信号のやり取りができるように接続されている。
【００１８】
ネットワーク通信部１１は、公知のネットワークアダプタであり、Ｗｅｂサーバ２０との間で情報の送受信を行う。入力部１２は、タッチセンサやハードウェアボタンなどを含むユーザインターフェースであり、ユーザからの操作を受け付ける。表示部１３は、ＬＣＤなどのディスプレイであり、表示制御部１５からの指示に基づいてコンテンツを表示する。記録部１４は、ＨＤＤなどの記録装置であり、Ｗｅｂサーバ２０から配信されたコンテンツのデータや、処理過程で生じた種々のデータを記録する。表示制御部１５は、例えば汎用のグラフィックコントローラによって構成され、制御部１６からの指示に基づき、表示部１３に画像を表示させる。制御部１６は、例えばＣＰＵなどのプロセッサであり、不図示のメモリに格納されたプログラムに従って、メディアタブレット１０全体の制御を行う。本実施形態では、制御部１６は、記録部１４に格納されたプログラムを実行するＣＰＵによって実現されるが、専用の集積回路などのハードウェアによって構成されていてもよい。また、制御部１６および表示制御部１５を含む機能ブロックは、１つの統合された集積回路などのハードウェアによって構成されていてもよい。
【００１９】
なお、図１に示す構成は例示であり、メディアタブレット１０の制御部１６およびＷｅｂサーバ２０の制御部２２が後述する動作を実行できる限り、それらの構成は任意である。例えば、図１に示されていない構成要素を付加したり、図１に示されている構成要素の一部を削除または他の適当な要素に置換してもよい。
【００２０】
制御部１６は、速報ニュースの一覧を表示する際、ユーザが当該速報ニュースに関心をもった場合、その速報ニュースの登録処理を行うとともに、登録された速報ニュースと当該速報ニュース到着後に配信される新聞コンテンツ内の特定記事との対応を示す対応情報を作成する。表示制御部１５は、この対応情報に基づき、ユーザが登録した速報ニュースに対応又は関連する新聞コンテンツの記事を、新聞コンテンツの他の記事と異なる表示形態で表示させる。
【００２１】
表示される速報ニュースの文字データや新聞イメージの画像データなどは、Ｗｅｂサーバ２０の記録部２１から公衆無線ＬＡＮサービスやインターネット等の通信ネットワーク３０を介して配信される。配信されたデータは、ネットワーク通信部１１によって受信され、記録部１４に記録される。その後、入力部１２を介したユーザの操作に応じて制御部１６にその処理が受け渡される。制御部１６の命令に従って表示制御部１５は、Ｗｅｂブラウザにより、表示部１３の表示画面上に速報ニュースの文字や新聞イメージの画像を表示する。
【００２２】
メディアタブレット１０は、速報ニュース一覧を表示する「速報ニュース一覧表示モード」と、速報ニュースの詳細を表示する「速報ニュース詳細表示モード」と、朝刊又は夕刊などの電子新聞の見出し記事一覧を表示する「見出し記事一覧表示モード」と、電子新聞の新聞イメージを表示する「新聞イメージ表示モード」とを有している。ユーザは、入力部１２に含まれる専用のボタン又は表示画面上の特定箇所（ボタンなどの表示）を用いて各表示モード間を切り替えることができる。
【００２３】
「速報ニュース一覧表示モード」は、Ｗｅｂサーバ２０から不定期に配信される速報ニュースの一覧を表示するモードである。速報ニュース一覧表示モードでは、例えば図２Ａに示すような画面が表示部１３に表示される。この画面には、速報ニュースに含まれる記事の見出しが表示される。
【００２４】
「速報ニュース詳細表示モード」は、速報ニュース一覧の個々のニュースの詳細な内容を表示するモードである。速報ニュース一覧表示モードにおいて、ユーザが所望の記事の見出しを選択（タップ又はクリック）すると、速報ニュース詳細表示モードに遷移する。図２Ｂは、速報ニュース詳細表示モードにおける表示画面の例を示す図である。ここでは、「東京都、東京ガスから電力調達」という見出しの記事が選択された場合の画面例が示されている。これにより、ユーザは、選択した見出しの詳細記事を読むことができる。
【００２５】
「見出し記事一覧表示モード」は、朝刊又は夕刊の見出し記事の一覧を表示するモードである。このモードは、Ｗｅｂサーバ２０から夕刊又は朝刊のコンテンツが配信された後に適用される。見出し記事一覧表示モードでは、例えば図２Ｃに示すような画面が表示される。ここに表示される内容は、速報ニュース一覧表示モードにおける表示内容と類似しているが、表示される見出しが速報ニュースのものではなく、夕刊又は朝刊に掲載されるニュースのものである点が異なっている。また、図２Ａの画面には記事の見出しの左にチェックボックスが表示されているが、図２Ｃの画面にはチェックボックスは表示されていない。
【００２６】
「新聞イメージ表示モード」は、朝刊又は夕刊の実際の紙面イメージを表示するモードである。新聞イメージ表示モードでは、例えば図２Ｄに示すような実際の新聞と全く同じレイアウトの画面が表示される。このモードは、例えば見出し記事一覧表示モードにおいて、図２Ｃには示されていない切替ボタンの表示をユーザがタップしたときなどに適用され得る。
【００２７】
なお、図２Ｃに示す画面において個々の見出しが選択されたとき、図２Ｂに示すような詳細記事の画面に遷移するように制御部１６を構成してもよい。上記の各画面の構成は例示であり、これらとは異なる画面構成を採用してもよい。
【００２８】
［１−２．動作］
次に、メディアタブレット１０における電子新聞表示方法を説明する。図３は、メディアタブレット１０およびＷｅｂサーバ２０による電子新聞を表示する処理の流れを示すフローチャートである。
【００２９】
ステップＳ３００では、メディアタブレット１０は、Ｗｅｂサーバ２０に対して速報ニュースの配信を要求する。具体的には、メディアタブレット１０の制御部１６は、速報ニュースを要求するための情報をネットワーク通信部１１を介してＷｅｂサーバ２０に送信する。Ｗｅｂサーバ２０は、ステップＳ３０１において、当該配信要求を受信すると、ステップＳ３０２において、要求された速報ニュースをメディアタブレット１０に配信する。次に、ステップＳ３１０では、メディアタブレット１０のネットワーク通信部１１は、Ｗｅｂサーバ２０から送られてきた速報ニュースを受信する。
【００３０】
続くステップＳ３２０では、メディアタブレット１０の制御部１６および表示制御部１５は、表示部１３の画面上に図２Ａに示すような速報ニュースの一覧を表示させる。これにより、ユーザは、個別にニュースを閲覧することができると共に、必要に応じて関心をもったニュースを登録（選択）することができる。
【００３１】
図４は、ユーザによって特定のニュースが選択された後の速報ニュース一覧の表示の例を示す図である。ユーザが記事に関心を持った場合、速報ニュース一覧表示モードにおける見出し画面の左端にあるボックス４０にチェックを入れることにより、当該記事を登録することができる。制御部１６は、ステップＳ３３０において、このチェック動作が行われたことを検出する。制御部１５は、続くステップＳ３４０において、ユーザが関心を持った見出し記事を示す情報（例えば、記事ＩＤ）を記録部１４に記録する。図４の例では、「東京都、東京ガスから電力調達」の見出しのボックス４０にチェックが入っており、ユーザがこの見出し記事に関心を持っていることを示している。この場合、選択された「東京都、東京ガスから電力調達」の見出しの記事に関連付けられた記事ＩＤなどの情報が記録部１４に記録される。この選択された記事ＩＤなどの情報を、以下の説明では「登録処理情報」と呼び、登録処理情報を記録する動作を、「登録処理」と呼ぶ場合がある。登録処理情報は、記事ＩＤに限らず、ユーザが選択した記事を特定する情報であればどのようなものでもよい。
【００３２】
その後、時間が経過し、夕刊または朝刊のコンテンツを受信できる時刻になると、メディアタブレット１０は、当該コンテンツの配信を要求することができる。メディアタブレット１０は、この要求を、ユーザの操作に起因して行うように構成されてもいてもよいし、毎日定時に行うように構成されていてもよい。
【００３３】
ステップＳ３５０では、メディアタブレット１０からＷｅｂサーバ２０に対して朝刊又は夕刊などの電子新聞のコンテンツの配信を要求する。具体的には、制御部１６は、ネットワーク通信部１１を介して、新聞コンテンツの配信を要求する情報をＷｅｂサーバ２０に送信する。Ｗｅｂサーバ２０は、ステップＳ３５１において当該配信要求を受信すると、ステップＳ３５２において、要求された新聞コンテンツを配信する。メディアタブレット１０は、続くステップＳ３６０において、配信された新聞コンテンツを受信する。
【００３４】
なお、速報ニュースの到着後に配信予定の電子新聞がＷｅｂサーバ２０に存在していなければ新聞コンテンツの配信はできない。しかし、通常、速報ニュースの到着後、所定時間（例えば、半日）が経過すれば、新聞社は、速報ニュースの内容を含む朝刊又は夕刊などの電子新聞のコンテンツの作成を完成させている。その場合、新聞コンテンツを構成するＨＴＭＬ文書や画像などの情報はＷｅｂサーバ２０の記録部２１に格納されるため、それらの情報をメディアタブレット１０に配信することができる。
【００３５】
したがって、ステップＳ３５０における新聞コンテンツの配信要求は、メディアタブレット１０が速報ニュースを受信してから所定時間経過後に行われる。これにより、メディアタブレット１０は電子新聞のコンテンツを受信できる。
【００３６】
図５は、電子新聞を構成するＨＴＭＬ文書の文書構造の一例を示している。Ｗｅｂサーバ２０の記録部２１に蓄積される電子新聞を構成するＨＴＭＬ文書は、図示されるような文書構造を有している。ＨＴＭＬ文書は、表題、見出し、段落などの要素（部品）を組み合わせて構成される。ＨＴＭＬは、文書の一部を“<”と“>”で挟まれた「タグ」と呼ばれる特別な文字列で囲うことにより要素を示す方法である。ＨＴＭＬを用いれば、文章の構造や修飾についての情報を文書に埋め込んで記述することができる。また、文章の中で表題や段落の区切りを指定したり、文書の一部として画像や音声、動画を埋め込んだりすることができる。
【００３７】
メディアタブレット１０のブラウザは、ＨＴＭＬデータの中からタグを探し出し、どの部分が見出しでどれが段落であるかを識別して表示する。図５の例では、ｈｔｍｌ要素の中にｈｅａｄ要素とｂｏｄｙ要素が含まれ、それぞれの内部にはさらに別の要素が含まれている。このような関係にあるとき、外側の要素を親要素、その内部に含まれる要素を子要素と呼ぶ。親要素から子要素、さらにその子要素というつながりで、一つの文書はｈｔｍｌ要素を出発点とする要素のツリー構造として表現することができる。
【００３８】
したがって、電子新聞は、ＨＴＭＬ文書を用いて構成でき得る。なお、電子新聞はＸＭＬ文書によっても構成され得るし、それ以外の言語を用いて構成してもよい。
【００３９】
続くステップＳ３７０において、メディアタブレット１０の制御部１６は、ステップＳ３４０で登録処理を行った速報ニュースの記事ＩＤと当該速報ニュースの到着後に配信された電子新聞内の各記事との対応関係を示す対応情報を作成する。例えば、図４の例では、制御部１６は、見出しボックス４０にチェックされた「東京都、東京ガスから電力調達」の記事見出しに含まれる「電力」と一致又は類似するキーワードを有する見出しの記事が配信された新聞コンテンツの中にあるかを検索し、検索結果を示す対応情報を作成する。この際、制御部１６は、受信した電子新聞の見出し記事一覧に含まれる多くの見出しの中から、ユーザが選択した記事に関連付けられたキーワード「電力」を含む見出し又は「電力」と類似する文言を含む見出しをもつ記事を検索する。例えば、キーワード「電力」を含む「発電・電力小売り参入促進」という見出しを有する記事が検索されたとする。この場合、「発電・電力小売り参入促進」の見出しを有する記事に関する情報が対応情報に記述される。
【００４０】
図６は、制御部１６によって作成される対応情報の一例を示す図である。この例では、対応情報は、ユーザが選択した速報ニュースの記事ＩＤ、見出し及びキーワード、並びに関連する新聞コンテンツの記事ＩＤ及び見出しの情報を含んでいる。図６に示す例では、ユーザが選択した速報ニュースのキーワード「電力」を見出しに含む２つの記事が検索されているため、それらの両方の情報が対応情報に記述されている。ここで、もしキーワード「電力」に類似する文言を見出しに含む記事が検索された場合、その記事の情報も対応情報に記録される。制御部１６は、このような対応情報を作成して記録部１４に記録する。
【００４１】
対応情報は、図６に示すものに限らず、ユーザが選択した記事に関連する新聞記事情報を記録するものであれば、どのようなものであってもよい。例えば、キーワードに一致する記事と類似する記事とを区別して管理できるように対応情報が構成されていてもよい。また、検索された複数の記事を、キーワードとの類似度に応じて順位付けして管理できるように構成されていてもよい。さらに、前述の登録処理情報と対応情報とが共通するテーブルとして構成されていてもよい。例えば、図６に示すテーブルの速報ニュースに関する情報が登録処理情報として用いられ、これに関連する新聞コンテンツに関する情報を含めたものが対応情報として用いられてもよい。
【００４２】
このように、メディアタブレット１０の制御部１６は、速報ニュースと新聞コンテンツの双方に共通又は類似するキーワードを用いて検索することにより、登録された速報ニュースの情報（記事ＩＤ）と当該速報ニュース到着後に配信された電子新聞内の関連する記事との対応を示す対応情報を作成することができる。
【００４３】
ステップＳ３８０では、メディアタブレット１０の制御部１６は、ステップＳ３７０で作成した対応情報に基づき、ユーザが選択した速報ニュースに関連する（対応又は類似する）新聞コンテンツの記事を、新聞コンテンツの他の記事と異なる表示形態で表示させる。ここで対応する新聞コンテンツとは、ユーザが選択した速報記事に完全に対応する記事のことを指し、類似する新聞コンテンツとは、キーワードが同一または類似の記事であり、完全には対応しない記事を指す。
【００４４】
前述のように新聞記事の情報がＨＴＭＬ文書で記述されている場合、制御部１６は、ＨＴＭＬ文書を書き換えることにより、記事の体裁を変更できる。ＨＴＭＬ文書では、以下のように文字の大きさを変えたり、文字の色を変えることが容易にできる。
<FONT SIZE="+2">文字を大きくする</FONT>
<FONT COLOR="red">文字の色を変える</FONT>
したがって、制御部１６は、対応情報に記述された記事に対応するＨＴＭＬ文書に、上記のような記述を追加・変更・削除することにより、ユーザが選択した速報ニュースに関連する記事の文字の大きさや色などを変更することができる。
【００４５】
図７は、メディアタブレット１０の表示画面に表示される電子新聞の見出し記事一覧の表示形態が変更された後の表示例を示す図である。この例では、見出し記事一覧表示モードにおける電子新聞の見出し記事一覧の「発電・電力小売り参入促進」の見出しの表示について、他の見出し記事に比べて、文字を大きく、かつ色を赤に変更している。このような表示形態の変更は、文字の大きさ、文字の色、文字のフォントの少なくとも１つを変更するものであってもよい。
【００４６】
図８Ａ、８Ｂは、メディアタブレット１０の表示画面に表示される電子新聞の新聞イメージの表示形態が変更された後の表示例を示す図である。図８Ａは、新聞イメージ表示モードにおいて、新聞記事の見出し「発電・電力小売り参入促進」１００の文字の色を緑にし、太字にして表示した例を示している。図８Ｂは、見出し「発電・電力小売り参入促進」の新聞記事の領域２００を四角で囲んで表示した例を示している。このように表示することにより、ユーザが選択した速報ニュースに関連する記事が強調されるため、ユーザは、容易に関心のある記事を見つけることができる。
【００４７】
制御部１６は、上記の例に限らず、例えば文字を点滅させた表示形態、背景色を変更した表示形態、枠で記事を囲んだ表示形態、記事のレイアウトを変更した表示形態のいずれかを採用してもよい。あるいは、上記の表示形態のいくつかを組み合わせた表示形態を採用してもよい。一例として、レイアウトを変更する場合、ユーザが選択した記事に関連する記事を目立つ位置に移動させたり、関連する記事のみを１つの画面に集めて表示させる、といった制御が可能である。なお、どのような表示形態に変更するかを、ユーザが設定できるようにしてもよい。また、ユーザが複数の速報記事を選択した場合、どのような表示形態に変更するかを、記事ごとに設定できるようにしてもよい。
【００４８】
制御部１６は、表示形態が変更された新聞コンテンツを表示部１３に表示させるとき、ユーザによって選択された記事に関連付けられたキーワードを併せて表示させてもよい。ユーザは、新聞コンテンツを閲覧しているときには、どの速報ニュースを選択したかを忘れている可能性がある。このため、例えば図８Ｃに示すように、強調表示される箇所の付近にキーワード３００を表示させることにより、ユーザにどのような速報ニュースを選択したかを思い出させることができる。
【００４９】
上記の説明では、メディアタブレット１０が、対応情報の作成および対応情報に応じた表示形態の変更処理を行ったが、これらの処理をＷｅｂサーバ２０が行うようにシステムを構成することもできる。以下、Ｗｅｂサーバ２０側で対応情報の作成および対応情報に応じて特定の記事が異なる表示形態で表示されるように編集された新聞コンテンツの作成を行う方法を説明する。
【００５０】
図９は、メディアタブレット１０およびＷｅｂサーバ２０による電子新聞の他の表示方法を示すフローチャートである。図９において、図３のフローチャートと同じステップには、同一の符号を付している。図３のフローチャートと異なるのは、ステップＳ４５０からＳ４７０である。ステップＳ３００からステップＳ３４０は、図３における対応するステップと同じであるため、その説明を省略する。
【００５１】
ステップＳ４５０では、メディアタブレット１０は、Ｗｅｂサーバ２０に対して夕刊や朝刊などの新聞コンテンツの配信要求を行うとともに、Ｗｅｂサーバ２０にステップＳ３４０で作成した登録処理情報を送付する。ここで、登録処理情報は、上述のように、速報ニュースの記事のうちユーザが関心を持った記事を特定する情報である。登録処理情報は、例えばユーザが選択した速報ニュースの記事ＩＤなどの情報を含む。
【００５２】
Ｗｅｂサーバ２０は、ステップＳ４５１において、新聞コンテンツの配信要求および登録処理情報を受信する。続くステップＳ４５２では、Ｗｅｂサーバ２０は、登録処理情報に基づいて、新聞コンテンツを編集する。ここでの編集処理は、図５から図８Ｃを参照して説明した処理と同様である。
【００５３】
新聞社などの配信会社は、夕刊や朝刊などの新聞コンテンツの配信のために、新聞コンテンツを作成し、Ｗｅｂサーバ２０の記録部２１に格納する。Ｗｅｂサーバ２０の制御部２２は、メディアタブレット１０から配信要求および登録処理情報を受け取ると、登録処理情報に含まれる記事ＩＤを用いて、その記事ＩＤに対応する記事のキーワードを特定する。記事ＩＤとキーワードとの対応関係は、例えばＷｅｂサーバ２０の記録部２１に格納されたデータベースに基づいて特定され得る。Ｗｅｂサーバ２０の制御部２２は、そのキーワードと同一又は類似のキーワードが、見出しの文字に含まれている記事を、これから配信予定の新聞コンテンツの中から検索する。該当する見出し記事があれば、図７に例示するように、電子新聞の見出し記事一覧において、ユーザが関心を持った記事に関連する見出し記事の表示形態を、他の見出し記事の表示形態から変更したＨＴＭＬ文書を作成する。また、図８Ａ〜８Ｃに例示するように、電子新聞の新聞イメージの記事においてユーザが関心を持った記事に関連する記事の見出しの文字の色や大きさなどを変更したり、記事を枠で囲んだＨＴＭＬ文書を作成する。
【００５４】
Ｗｅｂサーバ２０は、ステップＳ４５３において、登録処理情報が反映された上記のような新聞コンテンツをメディアタブレット１０に配信する。ステップＳ４６０では、メディアタブレット１０のネットワーク通信部１１は、登録処理情報が反映された新聞コンテンツを受信する。ステップＳ４７０では、メディアタブレット１０の制御部１６は、受信した新聞コンテンツを表示部１３に表示させる。
【００５５】
以上の処理により、図３に示す処理を採用した場合と同様、ユーザが選択した速報ニュースの記事に関連する新聞コンテンツの情報が他の情報とは異なる表示形態で表示される。このため、ユーザは容易に関心のある記事を見つけることができる。
【００５６】
［１−３．効果等］
以上のように、本実施形態の情報処理装置（メディアタブレット）１０は、ネットワーク３０を介して配信される速報ニュース情報および速報ニュース情報の後に配信される朝刊または夕刊などの新聞記事情報を取得してディスプレイ（表示部）１３に表示させる機能を備えている。メディアタブレット１０は、ネットワーク３０を介して情報の通信を行うネットワーク通信部１１と、ネットワーク通信部１１によって取得された速報ニュース情報および新聞記事情報を表示部１３に表示させる制御部１６とを備えている。制御部１６は、速報ニュース情報を表示部１３に表示させているとき、ユーザから速報ニュース情報に含まれる一部の情報の選択を受け付け、その後配信される新聞記事情報を表示部１３に表示させるとき、当該新聞記事情報のうち、選択された一部の情報に関連する情報を、当該新聞記事情報中の他の情報とは異なる表示形態で表示させるように構成されている。
【００５７】
特に、図３に示す例では、メディアタブレット１０の制御部１６は、速報ニュースの中からユーザによって選択された一部の情報を示す登録処理情報を記録媒体（記録部１４）に記録し、この登録処理情報に基づいて、その後配信される新聞記事情報の中からユーザが選択した一部の情報に関連する情報を検索する。そして、検索した情報を、他の情報とは異なる表示形態に変更して表示部１３に表示させる。
【００５８】
また、図９に示す例では、メディアタブレット１０の制御部１６は、速報ニュースの中からユーザによって選択された一部の情報を示す登録処理情報を、新聞コンテンツの配信元であるＷｅｂサーバ２０に送信し、ユーザが選択した一部の情報に関連する情報が他の情報とは異なる表示形態で表示されるように編集された新聞記事情報をＷｅｂサーバ２０から受け取って表示部１３に表示させる。この形態では、Ｗｅｂサーバ２０の制御部２２が、登録処理情報に基づいて、配信予定の新聞記事情報の中からユーザが選択した一部の情報に関連する情報を検索し、検索した情報を他の情報とは異なる表示形態で表示される形式に編集する。
【００５９】
以上の構成により、メディアタブレット１０は、ユーザが登録した速報ニュースに関連する（対応又は類似する）新聞コンテンツ（例えば見出し記事一覧又は新聞コンテンツの新聞イメージ）内の記事を、新聞コンテンツの他の記事と異なる表示形態で表示させることができる。ユーザは、この変更された表示形態を見ることで、新聞コンテンツ内の記事からユーザが関心をもった速報ニュースに関連する詳細記事をすぐに見つけることができる。このため、関心のある記事を探すための負担を低減できる。
【００６０】
また、本実施形態によれば、速報ニュース到着後に配信される新聞コンテンツをベースに、ユーザが関心を持った速報ニュースに関連する新聞コンテンツ内の特定記事を、新聞コンテンツの他の記事と異なる表示形態とする新聞コンテンツの改変が行われる。この改変は、ユーザの端末（メディアタブレット１０）側で行っても良いし、Ｗｅｂサーバ２０側で行っても良い。Ｗｅｂサーバ２０側でユーザの要望に即して新聞コンテンツの改変を行えば、ユーザの端末側の処理負担を低減できる。
【００６１】
また、本実施形態において、メディアタブレット１０の制御部１６（図３の例の場合）またはＷｅｂサーバ２０の制御部２２（図９の例の場合）は、速報ニュースの中からユーザによって選択された一部の情報に関連付けられたキーワードに一致または類似する情報を、その後配信予定の新聞記事情報の中から検索することにより、ユーザが選択した一部の情報に関連する情報を特定する。これにより、ユーザが関心を持った速報ニュースに関連する新聞記事情報を容易に抽出することができる。
【００６２】
また、本実施形態における新聞コンテンツは、実際の朝刊又は夕刊の新聞紙面のイメージの情報を含んでいる。このため、ユーザは、メディアタブレット１０を用いて実際の新聞紙面の中から強調表示された関連記事を容易に探すことができる。
【００６３】
さらに、新聞コンテンツは、朝刊又は夕刊の見出し記事の一覧を示す情報を含んでいる。このため、配信された新聞コンテンツの一覧の中から、関心のある記事をすぐに探すことができる。
【００６４】
本実施形態では、ユーザが選択した記事に関連する情報は、例えば、文字の大きさ、色、太さ、もしくは書体が変更された表示形態、文字を点滅させた表示形態、背景色が変更された表示形態、枠で囲まれた表示形態、およびレイアウトが変更された表示形態のいずれか、またはこれらを組み合わせた表示形態で表示され得る。このため、ユーザが関心をもった記事に関連する情報は、目立つ表示形態で表示されるため、ユーザは、関心をもった情報をすぐに見つけることができる。
【００６５】
なお、本実施形態では、ユーザ側から速報ニュースや電子新聞の配信をＷｅｂサーバ２０に要求するクライアント主導型の方式（スマートプル型）で説明してきたが、Ｗｅｂサーバ２０から適時に速報ニュースを配信し、決められた時刻に朝刊又は夕刊などの電子新聞を配信する、サーバ主導型の方式（リアルプッシュ型）を用いても実現可能である。
【００６６】
また、本実施形態では、速報ニュースと、その後に配信される朝刊又は夕刊の新聞コンテンツを表示することを想定したが、本開示の技術はこのような例に限定されない。例えば、上記の速報ニュースの代わりに過去の新聞コンテンツを用いて同様の処理を行ってもよい。その場合、メディアタブレット１０の制御部１６またはＷｅｂサーバ２０の制御部２２は、過去の新聞コンテンツの表示中にユーザから一部の記事の選択を受け付け、その後配信される新着の新聞コンテンツを表示する際、ユーザが選択した記事に関連する記事を、他の記事とは異なる表示形態に変更して表示するように構成される。
【００６７】
また、ユーザがどの記事を選択したかという情報は、ユーザの関心を示す情報と言える。このため、メディアタブレット１０の制御部１６またはＷｅｂサーバ２０の制御部２２は、ユーザが記事を選択する度に、選択された記事の情報を日々記録部１４に蓄積し、それらをその後の表示に反映させてもよい。例えば、政治、金融、テクノロジー、社会、スポーツといったジャンルごとにユーザが選択した頻度を集計し、次に新聞コンテンツを表示する際、頻度の高いジャンルの記事を自動的に目立つように表示する、といった制御を行うことも可能である。このような制御によれば、ユーザが関心のある記事を毎回選択しなくても、関心があると推定された記事が目立つように表示されるため、利便性がさらに向上する。
【００６８】
本実施形態では、情報処理装置１０は、主にメディアタブレットであるものとしたが、ＰＣ、スマートフォン、携帯電話その他のコンピュータを搭載した装置でもよい。情報処理装置１０が例えばデスクトップＰＣである場合、制御部１６は、情報処理装置１０に接続されたディスプレイに電子文書を表示することになるため、図１に示す表示部１３は不要である。
【００６９】
なお、図１等に示す情報処理装置１０の構成は例示であり、上記の機能を有している限り、その構成は任意である。上記の説明における画面構成、テーブル構成、データ構成、フローチャートなどについても例示であり、これらは適宜変更することが可能である。例えば、各実施形態における画面には、画面を遷移させるためのボタンなどの表示が設けられ得る。
【００７０】
（他の実施形態）
以上のように、本出願において開示する技術の例示として、実施形態１を説明した。しかしながら、本開示における技術は、これに限定されず、適宜、変更、置き換え、付加、省略などを行った実施の形態にも適用可能である。また、上記実施形態１で説明した各構成要素を組み合わせて、新たな実施の形態とすることも可能である。そこで、以下、他の実施の形態を例示する。
【００７１】
実施形態１の情報処理装置は、新聞記事をディスプレイに表示させるが、新聞記事に限らず、他の種類の文書情報（例えば、書籍、雑誌、論文誌などの電子コンテンツ）を表示する場合にも実施形態１における構成および動作を適用することができる。その場合、上記の説明における「速報ニュース」を第１の文書情報、「新聞コンテンツ」を第２の文書情報として実施形態１の説明を読み替えればよい。言い換えれば、情報処理装置は、ネットワークを介して配信される第１の文書情報およびその後に配信される第２の文書情報を取得してディスプレイに表示させるように構成されていればよい。そのような情報処理装置は、ネットワークを介して情報の通信を行うネットワーク通信部と、ネットワーク通信部によって取得された第１および第２の文書情報を前記ディスプレイに表示させる制御部とを備える。制御部は、第１の文書情報をディスプレイに表示させているとき、ユーザから第１の文書情報に含まれる一部の情報の選択を受け付け、その後配信される第２の文書情報を前記ディスプレイに表示させるとき、第２の文書情報のうち、選択された前記一部の情報に関連する情報を、第２の文書情報中の他の情報とは異なる表示形態で表示させるように構成されていればよい。ここで「文書情報」は、上記のように、文書を表す任意のコンテンツのデータであり得る。「文書情報」は、文書を表す限り、どのような形式のデータであってもよい。実施形態１に示した新聞紙面イメージ（図２Ｄなど）のように、第１および第２の文書情報には、画像などの他の情報が付加されて配信および表示され得る。
【００７２】
また、上記のように、ユーザが選択した情報は、ユーザの関心を表している。このため、ユーザが選択した情報を蓄積および活用して、ユーザが関心をもっている事項についての様々な情報を提供する情報提供システムを構築することもできる。
【００７３】
図１０は、そのような情報提供システムの構成例を示す図である。このシステムは、情報処理装置１０と、新聞コンテンツを配信するＷｅｂサーバ（第１サーバ）２０と、他の種類の情報を提供する第２サーバ５０とを備えている。情報処理装置１０および第１サーバ２０は、それぞれ実施形態１における情報処理装置１０およびＷｅｂサーバ２０と同様の構成を備えている。第２サーバ５０は、第１サーバ２０と同様の構成を備えているが、その記録部５１には、新聞コンテンツとは異なる種類の文書、静止画像、動画像などの情報が記録されている。第１サーバ２０は、例えば新聞社などの配信会社が管理するコンピュータであり、第２サーバ５０は、当該配信会社と同一または異なる配信会社が管理するコンピュータであり得る。
【００７４】
このシステムでは、第１サーバ２０は、実施形態１と同様、情報処理装置１０に速報ニュースおよび朝刊又は夕刊の新聞コンテンツを配信する。第１サーバ２０は、さらに、情報処理装置１０のユーザが選択した記事情報を蓄積、分類することにより、ユーザの関心を示す情報（以下、「ユーザ関心情報」と呼ぶ。）を生成して第２サーバ５０に送信する。第２サーバ５０は、第１サーバ２０から送信されたユーザ関心情報に基づいて、そのユーザが関心を持っていると考えられる情報（以下、「提案情報」と呼ぶ。）を作成して提供する。
【００７５】
第１サーバ２０が作成するユーザ関心情報は、例えば、ユーザによってこれまでに選択された記事に関連付けられたキーワードを集めた情報であり得る。あるいは、これまでに蓄積されたキーワードの情報を分類して、ジャンルごとにユーザの関心を順位付けした情報や、ジャンルごとにユーザの関心の程度を点数化した情報であり得る。このような関心情報があれば、第２サーバ５０は、ユーザが関心を持っていると考えられる情報を特定し、適切な提案情報を提供することができる。
【００７６】
第２サーバ５０が作成する提案情報は、例えば、ユーザが関心をもっていると考えられる分野の本や雑誌の広告、ユーザが関心をもっていると考えられる場所への旅行を提案する広告のように、そのユーザの興味に合わせた情報であり得る。あるいは、ユーザが興味をもっている事項に関する用語の定義、百科事典の情報、地図、動画像の情報や、これらの情報を提供するウェブサイトへのハイパーリンクであってもよい。そのような提案情報を、第１サーバ２０が配信する新聞の情報に合わせて情報処理装置１０に配信するように、第１サーバ２０および第２サーバ５０は、協働して動作する。
【００７７】
図１１は、この情報提供システムにおける動作の一例を示すフローチャートである。ステップＳ３００からＳ４５１までの動作は、図９に示す対応するステップの動作と同一であるため、説明を省略する。この例では、ステップＳ５５２において、第１サーバ２０は、登録処理情報に基づく新聞コンテンツの編集を行うとともに、登録処理情報に基づいて、ユーザ関心情報を作成して第２サーバ５０に送信する。登録処理情報に基づくユーザ関心情報の作成は、今回選択された記事の情報だけでなく、過去のある時点から現在までに蓄積された登録処理情報の全体に基づいて行われ得る。第２サーバ５０は、ステップＳ５５３において、登録処理情報を受信すると、ステップＳ５５４において、登録処理情報に基づく提案情報の作成および第１サーバ２０への送信を行う。第１サーバ２０がステップＳ５５５において提案情報を受信すると、ステップＳ５５６において登録処理情報を反映した新聞コンテンツおよび提案情報を情報処理装置１０に配信する。情報処理装置１０は、ステップＳ５６０において、当該新聞コンテンツおよび提案情報を受信する。そして、ステップＳ５７０において、当該新聞コンテンツおよび提案情報をディスプレイに表示する。
【００７８】
図１２は、新聞コンテンツとともに提案情報４００が情報処理装置１０のディスプレイに表示されている例を示す図である。この例では、ユーザが関心のある「電力」に関する書籍の提案情報４００が、新聞記事の情報とともにディスプレイに表示されている。ユーザが提案情報４００に含まれる特定の書籍の画像をタップまたはクリックすると、その書籍の販売を取り扱うウェブサイトに遷移する。このような仕組みにより、ユーザは、新聞記事だけでなく、書籍によって知識をさらに深める機会を得ることができる。
【００７９】
なお、この例では、第１サーバ２０は、実施形態１と同様、新聞コンテンツを配信するが、第１サーバ２０は、新聞以外の文書情報を配信してもよい。例えば、書籍、雑誌、論文誌などの電子文書を配信するように第１サーバ２０は構成され得る。
【００８０】
また、図１１に示すフローチャートでは、第１サーバ２０の制御部２２が、第２サーバ５０の制御部５２から提案情報を取得して、新聞コンテンツとともに情報処理装置１０に配信しているが、第１サーバ２０および第２サーバ５０は、独立して情報処理装置１０に情報を配信してもよい。その場合、情報処理装置１０の制御部１６は、第１サーバ２０および第２サーバ５０からそれぞれ取得した新聞コンテンツおよび提案情報を、同時に表示できる形態（例えばＨＴＭＬファイル）に改変して表示してもよい。
【００８１】
さらに、図１２に示す提案情報の表示は例示であり、提案情報の表示形態は様々なものが考えられる。例えば、ユーザが関心を持っていると考えられる文書情報、提案情報、その他の情報を、１つの画面に見やすいレイアウトに変更してまとめて表示させたり、文書のコンテンツの最後に、提案情報だけをまとめて１画面に納まるように表示させたりすることもできる。文書情報と提案情報とをどのように組み合わせて表示させるかは、任意に設計することができる。
【００８２】
以上のように、本開示の技術は、新聞記事、書籍、雑誌などの文書のコンテンツだけでなく、ユーザの関心に沿った種々の提案情報を画面に表示させることができる。このようなシステムによれば、第２サーバ５０を運営する事業者は、第１サーバ２０を運営する新聞社や出版社などからユーザの関心を示す情報を得て、ユーザに様々な提案情報を提供することができる。これにより、ユーザは、興味のある様々な情報を得ることができるとともに、提案情報のリンク先にユーザがアクセスしたり、提案情報が示す商品やサービスをユーザが購入することにより、提案情報を提供する事業者が収益を上げることができる。また、提案情報を提供する事業者が新聞社などに広告料を支払うようにすれば、新聞社なども収益を上げることができる。このように、本開示の技術を利用して従来にない新たなサービスを展開することも可能である。
【００８３】
なお、上記の例では、第１サーバ２０と第２サーバ５０とが異なるコンピュータである場合を想定したが、これらのサーバを統合した形態も可能である。例えば、新聞社とその新聞社に関連する旅行会社とが一体としてサーバを運営することも考えられる。その場合、１つのサーバが新聞コンテンツおよびユーザへの旅行の提案情報等を情報処理装置１０に配信するようにシステムが構成され得る。
【００８４】
本開示の技術は、上述の各実施形態における処理を規定するソフトウェア（プログラム）にも適用され得る。そのようなプログラムに規定される動作は、例えば図３、９、１１に示すとおりである。このようなプログラムは、可搬型の記録媒体に記録されて提供され得る他、電気通信回線を通じても提供され得る。装置に内蔵されたプロセッサがこのようなプログラムを実行することにより、上記の実施形態で説明した各種動作を実現することができる。
【００８５】
以上のように、本開示における技術の例示として、実施の形態を説明した。そのために、添付図面および詳細な説明を提供した。
【００８６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８７】
また、上述の実施の形態は、本開示における技術を例示するためのものであるから、特許請求の範囲またはその均等の範囲において種々の変更、置き換え、付加、省略などを行うことができる。
【産業上の利用可能性】
【００８８】
本開示の技術は、文書情報を受信できる情報処理装置および文書情報を配信する配信装置を含むシステムに利用できる。情報処理装置は、例えば、メディアタブレット、スマートフォン、パーソナルコンピュータなどの情報端末に好適に使用できる。
【００８９】
また開示の技術を応用したサービスは、未来に起こる事象に対する予約サービスであるとも提案型サービス（サジェストサービス）とも言える。このため、ユーザに関心のある情報に関連した文書情報以外に、情報配信会社が有する関連情報（記事を作成するための各種情報など）を利用して、ユーザにとって有益な様々な関連情報を提供する新サービスを行うこともできる。
【符号の説明】
【００９０】
１０    情報処理装置（メディアタブレット）
１１    ネットワーク通信部
１２    入力部
１３    表示部
１４    記録部
１５    表示制御部
１６    制御部
２０    Ｗｅｂサーバ（第１サーバ）
２１    記録部
２２    制御部
２３    ネットワーク通信部
３０    通信ネットワーク
５０    第２サーバ
５１    記録部
５２    制御部
５３    ネットワーク通信部
【図１】
2013239146.tif 000003
【図２Ａ】
2013239146.tif 000004
【図２Ｂ】
2013239146.tif 000005
【図２Ｃ】
2013239146.tif 000006
【図２Ｄ】
2013239146.tif 000007
【図３】
2013239146.tif 000008
【図４】
2013239146.tif 000009
【図５】
2013239146.tif 000010
【図６】
2013239146.tif 000011
【図７】
2013239146.tif 000012
【図８Ａ】
2013239146.tif 000013
【図８Ｂ】
2013239146.tif 000014
【図８Ｃ】
2013239146.tif 000015
【図９】
2013239146.tif 000016
【図１０】
2013239146.tif 000017
【図１１】
2013239146.tif 000018
【図１２】
2013239146.tif 000019